(57)【特許請求の範囲】
【請求項１】
導光板の側端面を光が入射する入射面とすると共に前面を前記入射した光が出射する出射面とし、導光板の入射面に光源を配置すると共に導光板の周囲及び光源を保持枠の保持部にて保持し、前記保持枠の保持部の外周に被固定部を設けて該被固定部に固定用ねじが挿通される挿通孔を形成し、保持枠を取り付ける取り付け面に固定される取付ベースに固定用ねじが螺着するねじ孔を螺設すると共に、取付ベースに前記保持枠を囲んで内部に収容する保持枠収容片を設け、化粧パネルを導光板の前側に位置させる化粧パネル保持部を設けてなり、前記取付ベースを取り付け面に固定すると共に、取付ベースの保持枠収容片の内部に導光板及び光源を保持した保持枠を収容して固定用ねじを挿通孔に挿通させてねじ孔に螺着することで保持枠を取付ベースに固定し、化粧パネルを化粧パネル保持部に保持させて保持枠の前面側に位置させ、前記化粧パネルは、導光板の前側に位置する部分を光透過性を有する化粧部とすると共に、化粧部の周囲であって保持枠の前側に位置する部分を光透過性を有しないか又は光が透過し難い光難透過部とすることを特徴とする面発光装置の固定構造。
【発明の詳細な説明】
【技術分野】
【０００１】
本発明は、誘導灯の光源や液晶表示板のバックライトとして用いられる面発光装置の固定構造に関するものである。
【背景技術】
【０００２】
従来から、誘導灯をはじめとする表示灯の光源や液晶表示板（液晶パネル）のバックライトとして、あるいは光の演出のためや照明として、面発光装置が用いられている（例えば特許文献１参照）。
【０００３】
面発光装置は、図４に示すように、導光板１の一側端面を光が入射する入射面１１とすると共に、導光板１の表側の面を前記入射した光が出射する出射面１２とするいわゆるエッジライト方式で、この出射面１２の表面に柄模様や着色フィルター等が形成される光透過性の化粧パネル５を配置して略全面が光る発光面とするものである。導光板１の入射面１１となる一側端面には、その長手方向に光源２を配置し、導光板１の全体に光源２からの光を万遍なく行き渡らせて出射面１２全体が略一様に発光するようにしてある。
【特許文献１】特開平５−２４２７１０号公報
【発明の開示】
【発明が解決しようとする課題】
【０００４】
ところで、このような面発光装置は、壁や天井等といった落下の危険性が高い部分に設置されることが多く、また、メンテナンスのために着脱を行う必要があるため、壁や天井等の取り付け面６に取付ベース４を固定して、この取付ベース４に、導光板１及び光源２を保持枠３にて保持してビス等により着脱自在に取り付けることで、堅固に取り付けて且つ着脱作業を容易とするものである。
【０００５】
保持枠３は、導光板１及び化粧パネル５の周囲と光源２とを断面コ字状をした保持部３１により保持すると共に、保持部３１の外周に被固定部３２が設けてあり、被固定部３２に挿通孔３３が形成してある。また、取り付け面６に固定される取付ベース４には、保持枠３を固定する固定用ねじ４４ａが螺着するねじ孔４４ｂが螺設してあり、保持枠３の被固定部３２の挿通孔３３が取付ベース４のねじ孔４４ｂに連通するように重ね合わせて、固定用ねじ４４ａを挿通孔３３を介してねじ孔４４ｂに螺着することで、保持枠３を取付ベース４に固定するものである。なお図中の８は取り付け面６に取り付けられる目地部材である。
【０００６】
しかしながら、このような面発光装置の固定構造にあっては、取付ベース４の固定用ねじ４４ａが前方から（正面から）見えると見苦しいため、その前方に目隠し部材７を設けていたが、この場合でも保持枠３の保持部３１及び目隠し部材７が額縁状に見えてしまい、デザイン性が損なわれてしまうものであった。
【０００７】
本発明は上記従来の問題点に鑑みて発明したものであって、その目的とするところは、導光板及び光源を保持した保持枠を、取り付け面に固定した取付ベースに堅固に且つ容易に着脱可能とすると共に、保持枠や固定用ねじが見えたり前面が額縁状に見えてデザイン性が損なわれるといったことのない面発光装置の固定構造を提供することを課題とするものである。
【課題を解決するための手段】
【０００８】
上記課題を解決するために請求項１に係る発明にあっては、導光板１の側端面を光が入射する入射面１１とすると共に前面を前記入射した光が出射する出射面１２とし、導光板の入射面１１に光源２を配置すると共に導光板１の周囲及び光源２を保持枠３の保持部３１にて保持し、前記保持枠３の保持部３１の外周に被固定部３２を設けて該被固定部３２に固定用ねじ４４ａが挿通される挿通孔３３を形成し、保持枠３を取り付ける取り付け面６に固定される取付ベース４に固定用ねじ４４ａが螺着するねじ孔４４ｂを螺設すると共に、取付ベース４に前記保持枠３を囲んで内部に収容する保持枠収容片４５を設け、化粧パネル５を導光板１の前側に位置させる化粧パネル保持手段（４６）を設けてなり、前記取付ベース４を取り付け面６に固定すると共に、取付ベース４の保持枠収容片４５の内部に導光板１及び光源２を保持した保持枠３を収容して固定用ねじ４４ａを挿通孔３３に挿通させてねじ孔４４ｂに螺着することで保持枠３を取付ベース４に固定し、化粧パネル５を化粧パネル保持部４６に保持させて保持枠３の前面側に位置させ、前記化粧パネル５は、導光板１の前側に位置する部分を光透過性を有する化粧部５１とすると共に、化粧部５１の周囲であって保持枠３の前側に位置する部分を光透過性を有しないか又は光が透過し難い光難透過部５２とすることを特徴とするものである。
【０００９】
このような構成とすることで、取り付け面６に固定した取付ベース４に着脱自在に固定することで、堅固に且つ容易に着脱することができ、固定用ねじ４４ａ及び保持枠３の保持部３１が光難透過部５２によって目隠しされると共に前面が額縁状に見えることもないためデザイン性が損なわれることがない。
【発明の効果】
【００１０】
本発明にあっては、取り付け面に固定した取付ベースに着脱自在に固定することで、堅固に且つ容易に着脱することができる共に、化粧パネルに化粧部及び光難透過部を形成したことで、光難透過部によって固定用ねじ及び保持枠の保持部が目隠しされ且つ額縁状に見えることもなく、デザイン性が損なわれるのを防止することができる。
【発明を実施するための最良の形態】
【００１１】
以下、本発明の一実施形態について図１乃至図３に基づいて説明する。
【００１２】
面発光装置は、導光板１、光源２、化粧パネル５、保持枠３で主体が構成される。
【００１３】
導光板１は、正面視略矩形状（正方形を含む）をした平板で、主に合成樹脂等からなる透明な部材により形成され、一表面が光が出射される出射面１２となると共に、少なくとも一つの側端面が光が入射する入射面１１となる。また、導光板１の出射面１２と反対側の裏面には光反射部（図示せず）が設けてある。光反射部は、本実施形態では導光板１とは別部材からなる鏡のような反射部材を導光板１の裏面に設けて形成しているが、導光板１の裏面に反射シートを貼着したり反射性の物質を印刷や蒸着して形成したり、あるいは特に加工を施さなくてもよく、限定されない。この導光板１の入射面１１からは、入射面１１に沿って配置された光源２から照射される光が入射し、入射した光は導光板１内を進行し、導光板１の裏面に形成された光反射部に当たって進行方向を変えた光のうち、出射面１２に全反射角を越えないで入射したものが透過して出射され、それ以外の光は出射面１２で全反射されて更に奧へと進行し、奧において同様に光反射部に当たって反射された光が出射面１２に入射される前記作用が繰り返され、これにより、導光板１内の全体に光が行き渡って、導光板１の出射面１２の略全面から光が万遍なく出射されて発光するものである。図２（ａ）に発光状態の正面図を示し、図２（ｂ）に消灯状態の正面図を示す。
【００１４】
また、導光板１の前面すなわち出射面１２側には、誘導灯や各種表示灯用の表示が描かれた光透過性を有する化粧パネル５が設けられる。化粧パネル５は、導光板１とは別部材のアクリルやその他の合成樹脂等からなる光透過性の部材で、正面視形状は導光板１の正面視形状よりも若干大きい略矩形状をしている。化粧パネル５の中央部分に形成されて導光板１と重ね合わせられる化粧部５１は、表面に文字や柄模様からなる何らかの表示を印刷やシート貼着により形成して且つ、光透過性を保持している。これにより、導光板１の出射面１２から出射される光は、化粧パネル５を透過して、表示用の文字や柄模様等が光って見える。なお、化粧部５１に前記何らかの表示の代わりに着色フィルターのみを形成したものであってもよく、また照明としてのみ用いるものでもよく、用途は特に限定されない。化粧パネル５の化粧部５１の周囲の部分は、光を透過しないか又は光を透過し難い（少なくとも透過率は５０％以下）光難透過部５２となっている。光難透過部５２は、導光板１の裏面に遮光性物質を印刷したりして形成するものである。また、導光板１の裏面側に設ける光反射部の色調と合わせて見栄えの調整を行ってもよい。
【００１５】
本実施形態の面発光装置では、光源２として、間隔をあけて配置した点光源２２を用いたものを使用している。これは、回路成形品である長尺の樹脂成形体２１に、複数のＬＥＤ（発光ダイオード）等からなる点光源２２を間隔をあけて取り付けると共に各点光源２２に流す電流を制限するためのチップ抵抗（図示せず）を実装して、導光板１の入射面１１の長手方向長さと略同じ長さの光源モジュールを構成し、入射面１１に沿って配置してある。なお点光源２２としては前記ＬＥＤに限定されず、点状に発光する電球やその他の光源２であってもよい。またなお、光源２としては蛍光灯のように線状に発光する線光源であってもよいものである。
【００１６】
上述した導光板１と光源２は、保持枠３によって保持される。保持枠３は、導光板１の周囲の側端部をそれぞれ保持するように正面視略ロ字状に配置される板金あるいはアルミ押出成形により形成される金属製のものである。保持枠３の保持部３１の断面形状は前記正面視略ロ字状の内方に開口する略コ字状をしており、前記コ字状の内部に導光板１の入射面１１以外の側端部を挿入すると共に、入射面１１側の側端部においては入射面１１に光源２を配置した状態で光源２及び側端部を挿入して保持する。
【００１７】
また、保持枠３の保持部３１の外周には壁や天井等の取り付け面６に固定された取付ベース４に固定するための被固定部３２を設けるもので、本実施形態では、正面視において略ロ字状の保持部３１の外周面から外方に向けて板状の被固定部３２が略ロ字状に設けてある。
【００１８】
取付ベース４は、壁や天井等の取り付け面６に固定する部材で、少なくとも保持枠３の被固定部３２が位置する部分に固定しており、本実施形態では上記保持枠３の被固定部３２と略同様の略矩形状の外郭をしており、板金あるいはアルミ押出成形により形成される金属製のもので高い剛性を備えている。本実施形態の取付ベース４は、壁や天井等の取り付け面６に取り付けられる平板状の取付部４１と、取付部４１の周端から前記取り付け面６から離れる方向に起立する起立片４２と、起立片４２の先端部から取付部４１の外周方向に連設される固定片４３と、固定片４３の外方の端部から前記取り付け面６から離れる方向に起立して保持枠３を収容すると共に化粧パネル５を保持する保持枠収容片４５とからなる。
【００１９】
取付ベース４の取付部４１は、ビスや釘やその他の手段によって、面発光装置を取り付ける取り付け面６に堅固に固定される。
【００２０】
取付ベース４の固定片４３は、保持枠３の被固定部３２と対応する位置に形成される正面視略ロ字状をしたもので、保持枠３を固定する固定手段４４としての固定用ねじ４４ａが螺着されるねじ孔４４ｂが複数螺設してある。また、保持枠３の被固定部３２には、前記ねじ孔４４ｂに対応する位置に固定用ねじ４４ａが挿通される挿通孔３３が貫通形成してある。
【００２１】
取付ベース４の保持枠収容片４５は、その先端部（取り付け面６から遠い側の端部）に、化粧パネル５の厚み分又はこれより若干広い間隔をあけて内側に突出する二つの化粧パネル保持手段４６としてのリブが突設してあり、化粧パネル５の周側端部を前記リブ間に挿入して保持枠収容片４５で囲み込むことで、化粧パネル５が取付ベース４によって保持されるものである。
【００２２】
導光板１及び光源２を保持した保持枠３は、取り付け面６に固定された取付ベース４の固定片４３に保持枠３の被固定部３２を重ね合わせて挿通孔３３とねじ孔４４ｂとを連通させ、固定用ねじ４４ａを挿通孔３３に挿通してねじ孔４４ｂに螺着する（図３参照）。
【００２３】
取付ベース４は、正面視略ロ字状のうちの少なくとも一辺において、例えば保持枠収容片４５を後から取付ベース４の固定片４３にビス等にて取り付けるような構造にし、化粧パネル５をリブ間に挿入する際には前記一辺の保持枠収容片４５を外しておき、化粧パネル５をリブ間に挿入した後で外していた保持枠収容片４５を取り付けて固定が完了する。
【００２４】
化粧パネル５は、導光板１の保持枠３内に挿入されておらず露出している部分の前側に化粧部５１が位置すると共に、その周囲の光難透過部５２が保持枠３の保持部３１及び被固定部３２の前側に位置することとなり、光難透過部５２によって、固定手段４４の固定用ねじ４４ａ及び保持枠３の被固定部３２、保持部３１が見えず、且つ、化粧パネル５の化粧部５１及び光難透過部５２全体に一体感を持たせることができて、デザイン性が損なわれることもないものである。また、一体の化粧パネル５において光難透過部５２を形成したことで、従来の目隠し部材７のような別部材が不要となって、コスト削減を図ることが可能となるものである。また、固定手段４４として固定用ねじ４４ａにより固定する方法を採用することで非常に堅固に固定することが可能となるものである。
【図面の簡単な説明】
【００２５】
【図１】本発明の一実施形態の要部側断面図である。
【図２】（ａ）は同上の発光状態の正面図を示し、（ｂ）は消灯状態の正面図を示す。
【図３】同上において便宜上化粧パネルを設けていない状態の一部透過した正面図である。
【図４】従来例の要部側断面図である。
【符号の説明】
【００２６】
１    導光板
１１  入射面
１２  出射面
２    光源
３    保持枠
３１  保持部
３２  被固定部
４    取付ベース
４４  固定手段
４５  保持枠収容片
４６  化粧パネル保持手段
５    化粧パネル
５１  化粧部
５２  光難透過部
６    取り付け面
【図１】
0004915672.tif 000002
【図２】
0004915672.tif 000003
【図３】
0004915672.tif 000004
【図４】
0004915672.tif 000005